(57)【要約】      （修正有）【課題】携帯端末から操作でき、印刷シール発行装置の一人当たりの利用時間を短くしてより多くの利用者が操作できる印刷シール発行装置を提供する。【解決手段】携帯端末２０のタッチスクリーンをタッチして選択した言語で印刷物を形成し印刷する千社札等の印刷シール発行装置であって、複数の国の文字データなどが記憶されたＲＯＭ２ｃと、携帯端末２０に表示される印刷する千社札等の印刷データを他の印刷データと識別する識別情報を読み取る読取装置９と、読取装置９により読み取られた識別情報により千社札等を印刷するため、文字入力画面に、選択された言語に基く標準的な文字入力用の入力画面を表示し、選択された国の文字で表示装置に作成する印刷物の図柄の画像データを表示して選択させ、選択した図柄の画像データに文字入力画面で文字にタッチして文字を組み込み一体化してプリンタ５に印刷させるＣＰＵ２ｂと、を有する。【選択図】図２
0003226179.tif 000002
【実用新案登録請求の範囲】
【請求項１】
筐体のタッチパネル又は携帯端末のタッチスクリーンをタッチして選択した言語で印刷物を形成し印刷する千社札等の印刷シール発行装置であって、
千社札等に用いられる多様な図柄の画像データ、複数の国の文字データ、複数の言語アナウンスの音声データ、複数の国のコンピュータ用キーボード等のその国における標準的な文字入力用の文字入力画面の画像データ、が記憶された記憶装置と、
前記文字入力画面を表示させる表示装置と、
前記携帯端末に表示される印刷する千社札等の印刷データを他の印刷データと識別する識別情報を読み取る読取装置と、
前記読取装置により読み取られた識別情報により千社札等を印刷するため、前記文字入力画面に、選択された言語に基く標準的な文字入力用の入力画面を表示し、選択された国の文字で前記表示装置に作成する印刷物の前記図柄の画像データを表示して選択させ、選択した前記図柄の画像データに前記文字入力画面で文字にタッチして文字を組み込み一体化して前記表示装置に表示させ、プリンタに印刷させる中央処理装置と、
を有する千社札等の印刷シール発行装置。
【請求項２】
前記印刷する千社札等の印刷データを送信する携帯端末とネットワークを経由して接続するための通信インターフェイスを有する請求項１に記載の千社札等の印刷シール発行装置。
【考案の詳細な説明】
【技術分野】
【０００１】
本考案は、千社札等の印刷シール発行装置を携帯端末から操作したり、当該印刷シール発行装置の操作部で操作できるようにしたことにより、例えば、多言語（例えば、日本語、中国語、台湾語、韓国語等）での操作を携帯端末、又は印刷シール発行装置のいずれによっても可能とし、選択した言語によって作成された千社札等の印刷シール発行装置に関する。
【背景技術】
【０００２】
従来における印刷物としての千社札の印刷シール発行装置は、例えば、特許文献１に開示された発明がある。この発明は、例えば、千社札作成機のタッチパネルをタッチ操作して好みの背景画像を有した千社札のタイプを選択し、次いで、千社札に表示する人の氏名や頭文字をタッチパネルに表示された平仮名の文字画像にタッチして漢字に変換して千社札を画面上で作成し、その操作が終了したならプリンタで印刷して千社札を作成発行するものである。
【先行技術文献】
【特許文献】
【０００３】
【特許文献１】特開２０００−２８０５６１号公報
【考案の概要】
【考案が解決しようとする課題】
【０００４】
ところで、前記の印刷シール発行装置にあっては、日本語専用に製造されているため、外国からの観光客が印刷シール発行装置に興味を示しても自国語での操作および文字が打てないため使用できないといった問題があった。
そこで、各言語に相応する印刷シール発行装置を言語ごとに製造すれば前記した問題は解決できるが、何カ国もの観光客が訪れるような観光地に設置するには多種の言語対応機を設置しなければならないこととなり、設置場所も広く取らねばならず、かつ、各言語用のシール発行装置を各種備えるという点でコストが高くなってしまうといった問題があった。
また、印刷シール発行装置でシール発行のための操作は、様々な選択肢の中から選択するため、利用者ごとに所定の時間が必要であり、従って一定の時間内で印刷シール発行装置を利用できる人数が限られていた。
さらには、印刷シールを求めるには、印刷シール発行装置の所へ出向いて印刷シール発行操作をしなければならないため、出向くための労力と時間が必要であった。
【０００５】
本考案は前記した問題点を解決せんとするもので、その目的とするところは、まず印刷シール発行装置の場所に出向かなくても印刷シール発行操作が可能であり、さらには、初期画面において複数の言語の中から希望する言語を選択することで、その後の画面には選択した言語で案内が表示され、また、ナレーションも選択した言語でアナウンスされると共に、シールに印刷するための文字入力画面を、選択した言語に基いてコンピュータ用のキーボード等のその国における標準的な配列の文字で表示することで、様々な国の人でも自国語によるシール等の印刷物を作成することができ、また、携帯端末でシール発行のための操作ができるから、印刷シール発行装置の一人当たりの利用時間を短くしてより多くの利用者が操作できる千社札等の印刷シール発行装置を提供せんとすることにある。
【課題を解決するための手段】
【０００６】
上記の課題を解決するためになされた本考案の支柱の構成は、筐体のタッチパネル又は携帯端末のタッチスクリーンをタッチして選択した国の文字、言語で印刷物を形成し印刷する千社札等の印刷シール発行装置であって、千社札等に用いられる多様な図柄の画像データ、複数の国の文字データ、複数の言語アナウンスの音声データ、複数の国のコンピュータ用のキーボード等のその国における標準的な文字入力用の文字入力画面の画像データ、が記憶された記憶装置と、前記文字入力画面を表示させる表示装置と、前記携帯端末に表示される印刷する千社札等の印刷データを他の印刷データと識別する識別情報を読み取る読取装置と、前記読取装置により読み取られた識別情報により千社札等を印刷するため、前記文字入力画面に、選択された言語に基く標準的な文字入力用の入力画面を表示し、選択された国の文字で前記表示装置に作成する印刷物の前記図柄の画像データを表示して選択させ、選択した前記図柄の画像データに前記文字入力画面で文字にタッチして文字を組み込み一体化して前記表示装置に表示させ、プリンタに印刷させる中央処理装置と、を有することを特徴とする。
【０００７】
また、印刷シール発行装置は、前記印刷する千社札等の印刷データを送信する携帯端末とネットワークを経由して接続するための通信インターフェイスを有することが好ましい。
【考案の効果】
【０００８】
本考案の印刷シール発行装置は、読取装置を有することにより、携帯端末に表示される印刷する千社札等の印刷データを他の印刷データと識別する識別情報を読み取ることができるので、携帯端末でシール発行のための操作でき、印刷シール発行装置の一人当たりの利用時間を短くしてより多くの利用者が操作できる。
【図面の簡単な説明】
【０００９】
【図１】本考案に係る千社札等の印刷シール発行装置の外観を示す斜視図である。
【図２】同上の印刷シール発行装置の回路ブロック図である。
【図３】起動時の処理を示すフローチャートである。
【図４】挿絵千社札を作成するためのフローチャートである。
【図５】短冊千社札を作成するためのフローチャートである。
【図６】頭千社札を作成するためのフローチャートである。
【図７】柄千社札を作成するためのフローチャートである。
【図８】（ａ）は挿絵千社札の正面図、（ｂ）は短冊千社札の正面図、（ｃ）は頭千社札の正面図、（ｄ）は地紋縦柄千社札の正面図、（ｅ）は地紋横柄千社札の正面図である。
【図９】挿絵千社札を印刷したシールの正面図である。
【考案を実施するための形態】
【００１０】
以下、本考案の印刷シール発行装置の一実施形態について説明する。本実施形態の印刷シール発行装置１０は、印刷物として千社札シールを形成し印刷する販売機である。
印刷シール発行装置１０は、図１に示すように、印刷シール発行装置１０の筐体１内に内蔵されたコンピュータ２と、筐体１の上方に取り付けられたタッチパネル式液晶モニターであるタッチパネル３と、筐体１の前面にコイン投入口４ａから投入されたコインの真偽およびコインの枚数を計数し釣銭がある時には釣銭を排出するコインセレクター４とを有する。タッチパネル３は、後述する文字入力画面を表示する表示装置としても機能する。
【００１１】
また、操作者が操作して出来上がった千社札を印刷するプリンタ５が内蔵され、さらに、図示していないが筐体１の所望個所にスピーカ６が内蔵されている。また、前記筐体１の背面側には起立した状態で広告等の宣伝用のデジタルサイネージモニタ７が取付けられている。なお、プリンタ５で印刷された千社札は、排出口８より排出される。
さらに、後述する携帯端末２０での千社札の作成方法により、携帯端末２０に送信されたバーコードやＱＲコード（登録商標）を読み取る読取装置９を有する。
【００１２】
コンピュータ２は、メインボード２ａと、入力された情報に基づいて印刷される千社札の編集処理を行うスティック型のパーソナルコンピュータ（以下、スティック型ＰＣ）２ｇとを有する。そして、コンピュータ２には、タッチパネル３、コインセレクター４、プリンタ５、スピーカ６およびデジタルサイネージモニタ７が接続されている。
【００１３】
メインボード２ａは、印刷シール発行装置１０の主要な制御演算処理を行う電子回路基板であり、ＣＰＵ２ｂ、ＲＯＭ２ｃおよびＲＡＭ２ｄを有する。
【００１４】
ＣＰＵ２ｂは、ＲＯＭ２ｃに記憶されているプログラム、携帯端末２０から送信される情報等に基づいて、印刷シール発行装置１０の各種機能を実行するための処理を行う。
【００１５】
ＲＯＭ２ｃは、電源を切ってもプログラムやデータを保持することができる不揮発性の半導体メモリ（記憶装置）の一例である。ＲＯＭ２ｃには、図３〜図７に示すフローチャートの処理を行うプログラム等の印刷シール発行装置１０の各種機能を実施するためのプログラムや、千社札の画像データ、各国語に対応した文字入力用のコンピュータ用のキーボード等のその国における標準的な文字入力用の画像データ、各国語に対応した文字データや音声データ等が記録されている。音声データは言語アナウンスに用いることもできる。ＲＡＭ２ｄは、プログラムやデータを一時保持する揮発性の半導体メモリ（記憶装置）の一例である。
なお、それらのデータやプログラムは、後述するスティック型ＰＣ２ｇのＲＯＭに記録されていてもよく、外部のデータベースサーバに記録されていてもよい。さらに、外部のデータベースサーバに記録されているデータやプログラムをダウンロードして利用する場合は、携帯端末２０からの操作により、使用するデータを入れ替えることができるようにしてもよい。
【００１６】
さらに、メインボード２ａには、拡張バス２ｅとしてスロットコネクタとＵＳＢポートが設置されている。
スロットコネクタには、印刷シール発行装置１０の機能を拡張する回路が接続される。具体的には、回路が実装された拡張ボードがスロットコネクタに挿入される。
【００１７】
印刷シール発行装置１０は、拡張ボードとして、通信インターフェース（ＬＡＮボード２ｆ）を備える。ＬＡＮボード２ｆは、印刷する千社札のデータを送信する携帯端末２０とネットワークを経由して接続するための通信機能を、印刷シール発行装置１０に追加する。ネットワークは、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット、これらの組み合わせ等である。ネットワークは、有線ネットワークが含まれていてもよいし、無線ネットワークが含まれていてもよい。
【００１８】
ＵＳＢポートには、後述するスティック型ＰＣ２ｇのＵＳＢ接続端子が挿入される。
【００１９】
スティック型ＰＣ２ｇは、入力された情報に基づいて印刷される千社札の編集処理を行うためのものであり、少なくともＣＰＵ、ＲＯＭ、ＲＡＭ及びＵＳＢ接続端子を有する。
スティック型ＰＣ２ｇは、コンピュータ２の一つの面に露出したＵＳＢポートにＵＳＢ端子が差し込まれることで、ＣＰＵ２ｂ２に接続される。
スティック型ＰＣ２ｇとしては、株式会社サードウェーブ社製のＤｉｇｉｎｎｏｓ Ｓｔｉｃｋ（ＤＧ―ＳＴＫ１Ｂ）などが挙げられる。
なお、スティック型ＰＣ２ｇの代わりに、入力された情報に基づいて印刷される千社札の編集処理を行う処理ボードがコンピュータ２の内部に実装されていてもよい。
【００２０】
携帯端末２０は、例えば、ノート型ＰＣ、ＰＤＡ（Ｐｅｒｓｏｎａｌ Ｄｉｇｉｔａｌ Ａｓｓｉｓｔａｎｔ）、その他のタブレット型式の端末や、スマートフォン等の携帯機器用ＯＳ（モバイルオペレーティングシステム）を備えた携帯電話などを挙げることができる。
【００２１】
〔千社札の作成について〕
千社札の作成は、印刷シール発行装置１０の筐体１に設置されたタッチパネル３と携帯端末２０のタッチパネルの両方から行うことができる。
まず、印刷シール発行装置１０の筐体１に設置されたタッチパネル３での千社札を作成する動作について説明し、その後に、携帯端末２０において千社札を作成する動作について、印刷シール発行装置１０で千社札を作成する動作と異なる点について説明する。
【００２２】
千社札を作成する動作を図３〜図７のフローチャートを用いて説明する。
千社札を作成する動作は、まず、操作者が文字入力画面に表示させる言語を選択した後に、後述する４個の何れかの千社札を選択して行われる。
まず、操作者が文字入力画面に表示させる言語を選択する動作について説明した後に、選択した千社札を作成する工程について説明する。
【００２３】
〔操作者が文字入力画面に表示させる言語を選択する動作について〕
まず、操作者が文字入力画面に表示させる言語を選択する動作について説明する。
操作者による操作が開始される以前には、タッチパネル３にはデモ画面が表示されている（ステップＳ１）。そして、この状態において、デジタルサイネージモニタ７には、千社札印刷作成機の案内や操作者に対して興味を抱かせる画像が表示され、かつ、音声によるナレーションがスピーカ６より放音されている。なお、前記画像およびナレーションは日本語および外国語、例えば、韓国語、中国語、台湾語等によって順次切り換えられ表示、放音されている。
【００２４】
この状態においてＣＰＵ２ｂはタッチパネル３に操作者がタッチしたか否かの監視を行い（ステップＳ２）、タッチしたことを検出すると日本語あるいは前記した他国語で操作するかの選択を行うための言語選択画面をタッチパネル３において表示する（ステップＳ３）。そして、ＣＰＵ２ｂはどの言語にタッチしたか否かの監視を行い（ステップＳ４）、例えば、日本語を選択したとするとＣＰＵ２ｂは日本語が選択されたとして以降の文字入力画面の表示を日本語に選択する（ステップＳ５）と共にナレーションを日本語に選択する（ステップＳ６）。
【００２５】
次に、所定の料金を投入しなさいとの料金投入画面が表示され料金投入を促し（ステップＳ７）、ＣＰＵ２ｂはコインが投入されたか否かの監視を行い（ステップＳ８）、操作者がコインをコインセレクター４のコイン投入口４ａから投入すると、コインセレクター４が投入されたコインの真偽を確認して、釣銭が発生した場合には、釣銭をコイン排出口４ｂから出す動作を行って、次のステップであるタッチパネル３に複数の種類の日本語千社札（本実施例では４個）の中から１つの千社札のタイプを選択するための日本語札選択画面が表示される（ステップＳ９）。
【００２６】
そして、ＣＰＵ２ｂは前記４個の何れの千社札を選択したか否かを監視し（ステップＳ１０）、ここで、操作者が４個の千社札から１つを選択してタッチすると図４〜図７のステップに移行する。なお、本実施例における千社札としては「挿絵千社札」（Ａ）、「短冊千社札」（Ｂ）、「頭千社札」（Ｃ）、「柄千社札」（Ｄ）が表示されているので、この４個の千社札から何れかの１個を選択することになる。
【００２７】
ここで、挿絵千社札とは図８（ａ）に示すものであり、以下、同様に短冊千社札は図８（ｂ）、頭千社札は図８（ｃ）、柄千社札は図８（ｄ）（ｅ）に示すものであり、それぞれの図柄が異なっていることから以降の操作方法は異なることになる。
【００２８】
〔挿絵千社札Ａをタッチした場合の作成方法について〕
先ず、操作者が挿絵千社札を作成することを望み挿絵千社札Ａをタッチした場合には、図４に示すフローチャートに移行する。
前記した挿絵千社札が選択された場合には、挿絵（図８（ａ）の波図柄参照）が多種多様配列した挿絵の選択画面が表示され（ステップＳＡ１）、ＣＰＵ２ｂは多数の挿絵の中から操作者が挿絵を選択したか否かを監視し（ステップＳＡ２）、挿絵の中から希望する挿絵が選択されると、次の地紋選択画面（ステップＳＡ５）を表示する。
【００２９】
前記ステップＳＡ２において操作者が挿絵ではなく家紋を挿絵部分に表示したいと思う場合には、前記挿絵選択画面の右上隅に表示されている家紋移行ボタンにタッチすると多種多様の家紋が配列した家紋選択画面が表示される（ステップＳＡ３）。そして、この画面の状態においてＣＰＵ２ｂは家紋が選択されたか否かを監視し（ステップＳＡ４）、家紋の中から希望する家紋が選択されると前記した地紋選択画面（ステップＳＡ５）に進む。
【００３０】
ここで、地紋とは前記挿絵の下側に印刷される模様であり、多種多様の地紋が表示され、ＣＰＵ２ｂはどの地紋が選択されたか否かを監視する（ステップＳＡ６）。地紋が選択されたとＣＰＵ２ｂが判断すると千社札に挿入する氏名等の文字を入力するための文字入力画面を表示する（ステップＳＡ７）。この文字入力画面は、ワードプロセッサーでのひらがな入力と同様に、ひらがな文字を選択して漢字変換を行う。つまり、ひらがな、濁音マーク、半濁音マーク、一字開け、１文字削除、文字変換した漢字の候補選択、戻り等のキー画像がタッチパネル上に表示されている。なお、本実施例以外の外国言語での文字入力の場合も同様であり、例えば中国語であれば発音をアルファベットで入力して中国漢字に変換することになる。
【００３１】
そして、ＣＰＵ２ｂはこの文字入力画面における文字入力が終了したか否かの監視を行い（ステップＳＡ８）、文字入力が終了した（図８ａにあっては、氏名である「千社太郎」が入力された）と判断すると、この「千社太郎」の書体をどのように表現するかのフォント選択画面を表示する（ステップＳＡ９）。このフォント選択画面では相撲文字や歌舞伎文字等の千社札に適した各種の書体がタッチパネル上に表示される。この表示においてＣＰＵ２ｂはフォントの選択が終了したか否かの監視し（ステップＳＡ１０）、フォントの選択が終了したと判断すると差し札文字選択画面を表示する（ステップＳＡ１１）。
【００３２】
この差し札画面は「家内安全」「入学祈願」「商売繁盛」「必勝祈願」等の定形的な文字や熟語等の文字が記載される短冊札である。そして、ＣＰＵ２ｂは多数の差し札の文字の中から操作者が選択したか否かを監視し（ステップＳＡ１２）、差し札の文字の中から希望する文字が選択されたと判断すると、次のステップである印刷見本画面（ステップＳＡ１５）を表示する。
【００３３】
前記ステップＳＡ１２において操作者が例示された定型的な文字以外の文字を表示したいと思う場合には、前記差し札文字選択画面の右上隅に表示されている文字選択移行ボタンにタッチすると文字入力画面が表示される（ステップＳＡ１３）。操作者は前記氏名等の文字入力と同様な方法によって、差し札に組み込みたい文字を入力する。そして、この文字入力画面の状態においてＣＰＵ２ｂは文字が入力されたか否かを監視し（ステップＳＡ１４）、文字の入力が終了したと判断すると、前記した印刷画面が表示される（ステップＳＡ１５）。
【００３４】
このステップＳＡ１５において、ＣＰＵ２ｂは印刷指示が行われたか否かの監視を行い（ステップＳＡ１６）、ここで、操作者がこの画面の画像で良いと判断した場合には印刷の文字をタッチすることで、プリンタ５によるカラー印刷が開始され（ステップＳＡ１７）、例えば、図９に示す剥離シール千社札の印刷が行われ、印刷が終了すると排出口８より千社札シールが排出され、千社札作成印刷の全操作は終了する。
【００３５】
もし、印刷見本画面の画像を修正したいと思った場合には、各タッチパネルに表示されている戻る文字をタッチして修正したいと思っている画面まで戻り修正して、前記操作を繰り返し行って印刷見本画面まで戻ることで印刷を開始することが可能となる。
【００３６】
〔短冊千社札Ｂを選択した場合の作成方法について〕
次に、前記した図３における千社札（図８ｂ参照）の選択において短冊千社札Ｂを選択した場合の作成方法を図５と共に説明する。
短冊千社札を選択するとタッチパネル３に複数種類の短冊が表示されると共に短冊の位置を選択する画面、つまり、短冊を斜め上（図８ａ参照）、縦左上、斜め下等の選択画面が表示される（ステップＳＢ１）。そして、ＣＰＵ２ｂは短冊の種類と短冊の位置が選択されたか否かの監視を行い（ステップＳＢ２）、操作者が選択したと判断すると地紋選択画面（ステップＳＢ３）を表示する。
【００３７】
この地紋とは千社札全体に印刷される下地的な絵柄であって、複数の絵柄が用意されている。それらの多種の地紋が表示されるとＣＰＵ２ｂは前記した複数種類から地紋が選択されたか否かの監視を行い（ステップＳＢ４）、地紋が選択されたと判断すると、前記短冊に記入する氏名等の文字を入力するための図４の実施例と同じ文字入力画面を表示する（ステップＳＢ５）。そして、ＣＰＵ２ｂは氏名等の文字が入力されたか否かを監視し（ステップＳＢ６）、文字が入力されたと判断すると前記した挿絵千社札と同様にフォント選択画面が表示される（ステップＳＢ７）。
【００３８】
そして、希望するフォントを選択すると（ステップＳＢ８）、図８（ｂ）のような構成済みの短冊千社札の画面である印刷見本画面が表示される（ステップＳＢ９）。そこで、操作者がこの印刷見本画面で良いと判断した場合には印刷指示（ステップＳＢ１０）を行うことで印刷が開始される（ステップＳＢ１１）。また、修正を行う場合には修正を希望するステップまで戻り修正を行い印刷指示を行うことで希望する短冊千社札を作成することができる。
【００３９】
〔頭千社札Ｃを選択した場合の作成方法について〕
次に、前記した図３における千社札（図８ｃ参照）の選択において頭千社札Ｃを選択した場合の作成方法を図６と共に説明する。
頭千社札を選択するとタッチパネル３に「日本」「一攫千金」「七転八起」等の定形的な頭文字が表示される（ステップＳＣ１）。そして、ＣＰＵ２ｂは列挙した頭文字の中から操作者が希望する頭文字を選択したか否かを監視し（ステップＳＣ２）、選択されたと判断すると地紋選択画面を表示する（ステップＳＣ５）。
【００４０】
前記ステップＳＡ２において操作者が定形的な頭文字ではなく操作者の気に入った頭文字を表示したいと思う場合には、前記頭文字選択画面の右上隅に表示されている文字選択移行ボタンにタッチすると頭文字入力画面が表示される（ステップＳＣ３）。そして、この文字入力画面の状態においてＣＰＵ２ｂは文字が入力されたか否かを監視し（ステップＳＣ４）、文字の入力が終了したと判断すると、前記した地紋選択画面が表示される（ステップＳＣ５）。
【００４１】
そして、ＣＰＵ２ｂは複数種類から地紋が選択されたか否かの監視を行い（ステップＳＣ６）、地紋が選択されたと判断すると、この千社札に挿入する氏名等の文字を入力するための図４の実施例と同じ文字入力画面を表示する（ステップＳＣ７）。そして、ＣＰＵ２ｂは氏名等の文字が入力されたか否かを監視し（ステップＳＣ８）、文字（図８ｃにあっては必勝祈願）が入力されたと判断すると、この「必勝祈願」の表現書体を選択するフォント選択画面を表示する（ステップＳＣ９）。この表示においてＣＰＵ２ｂはフォントの選択が終了したか否かの監視し（ステップＳＣ１０）、フォントの選択が終了したと判断すると差し札文字選択画面を表示する（ステップＳＣ１１）。
【００４２】
この差し札画面は「家内安全」「入学祈願」「商売繁盛」「必勝祈願」等の定型的な文字や熟語等の文字が記載された札である。そして、ＣＰＵ２ｂは多数の差し札の文字の中から操作者が選択したか否かを監視し（ステップＳＣ１２）、差し札の文字の中から定型的な文字が選択されたと判断すると、次のステップである印刷見本画面（ステップＳＣ１５）を表示する。
【００４３】
前記ステップＳＣ１２において操作者が差し札の部分に前記定型的な文字以外の文字を表示したいと思う場合には、前記差し札文字選択画面の右上隅に表示されている文字選択移行ボタンタッチすると差し札への文字入力画面が表示される（ステップＳＣ１３）。そして、この文字入力画面の状態においてＣＰＵ２ｂは文字が入力されたか否かを監視し（ステップＳＣ１４）、文字の入力が終了したと判断すると、前記した印刷画面が表示される（ステップＳＣ１５）。
【００４４】
このステップＳＣ１５において、ＣＰＵ２ｂは印刷指示が行われたか否かの監視を行い（ステップＳＣ１６）、ここで、操作者がこの画面の画像で良いと判断した場合には印刷の文字をタッチすることで、印刷が開始される（ステップＳＣ１７）。
【００４５】
もし、印刷見本画面の画像を修正したいと思った場合には、各タッチパネルに表示されている戻る文字をタッチして修正したいと思っている画面まで戻り修正して、前記操作を繰り返し行って印刷見本画面まで戻ることで印刷を開始することが可能となる。
【００４６】
〔柄千社札Ｄを選択した場合の作成方法について〕
次に、前記した図３における千社札（図８ｄ，ｅ参照）の選択において柄千社札Ｄを選択した場合の作成方法を図５と共に説明する。
柄千社札を選択するとタッチパネル３に複数種類の地紋が表示された縦柄の千社札（図８ｄ参照）の選択画面が表示される（ステップＳＤ１）。そして、ＣＰＵ２ｂは地紋縦柄の何れかが選択されたか否かの監視を行い（ステップＳＤ２）、操作者が何れかを選択したと判断すると文字入力画面（ステップＳＤ５）を表示する。
【００４７】
前記ステップＳＡ２において操作者が地紋縦柄ではなく地紋横柄（図８ｅ参照）にしたいと思う場合には、前記地紋縦柄選択画面の右上隅に表示されている地紋縦柄画面移行ボタンにタッチすると地紋縦柄選択画面に変わって地紋横柄選択画面が表示される（ステップＳＤ３）。そして、この画面の状態においてＣＰＵ２ｂは地紋横柄が選択されたか否かを監視し（ステップＳＤ４）、地紋横柄の中から希望する地紋横柄が選択されたと判断すると前記した文字入力画面（ステップＳＤ５）に進む。
【００４８】
次いで、ＣＰＵ２ｂは文字入力画面において氏名等の文字が入力されたか否かの監視を行い（ステップＳＤ６）、文字が入力されたと判断するとフォント画面を表示する（ステップＳＤ７）。そして、希望するフォントを選択すると（ステップＳＤ８）、印刷見本画面を表示する（ステップＳＤ９）。そこで、ＣＰＵ２ｂは印刷指示（ステップＳＤ１０）を行ったか否かを監視し、操作者がこの印刷見本画面で良いと判断し印刷指示を行うと印刷が開始される（ステップＳＤ１１）。また、修正を行う場合には修正を希望するステップまで戻り修正を行い、最終的に印刷指示を行うことで希望する柄千社札を作成することができる。
【００４９】
次に、携帯端末２０での千社札の作成方法について説明する。本明細書では、携帯端末２０が携帯機器用ＯＳとして、Ａｎｄｒｏｉｄ（登録商標）が搭載されている携帯電話の場合を例に挙げて説明する。
携帯電話の場合には、まず携帯電話に専用アプリケーションをダウンロードさせる。
具体的には、使用者は、ソフトウェア供給プラットフォームであるＧｏｏｇｌｅ Ｐｌａｙ（参考ＵＲＬ：https://www.android.com/intl/ja_jp/play/）から千社札作成のための専用アプリケーションをダウンロードする。
千社札の印刷費用は、アプリ内課金としてもよい。具体的には、携帯端末２０にダウンロードされた専用アプリケーション内から、アプリ内課金を使用して、千社札の支払いの決済を行う。
なお、本実施形態では、いわゆるネイティブアプリケーションを携帯端末にダウンロードして千社札を作成するが、ウェブブラウザ上で動作可能ないわゆるウェブアプリケーションにより千社札を作成してもよい。
【００５０】
操作者は、専用アプリケーションをダウンロードした携帯電話において、専用アプリケーションを起動させて、タッチスクリーンに表示された言語選択画面において、筐体１と同様に、上述した文字入力画面に表示させる言語を選択する動作（図３  Ｓ１〜Ｓ７参照）を行う。タッチスクリーンは、後述する文字入力画面を表示する表示装置としても機能する。
【００５１】
言語が選択されると、携帯電話のタッチスクリーンに、千社札を印刷する印刷シール発行装置１０を選択する選択画面が、選択された言語で表示される。これにより、決済を行ったが、印刷シール発行装置１０が見つからずに作成した千社札が印刷できないということを防ぐことができる。
【００５２】
そして、千社札を印刷する印刷シール発行装置１０を選択する選択画面で、印刷する印刷シール発行装置１０を選択すると、選択された言語で所定の料金の投入を促す旨の記載が表示された料金投入画面が表示される。操作者は、料金を確認したのち、アプリ内課金を使用して、千社札の支払いの決済を行う。
なお、決済を行う前に、言語が選択されると、携帯電話のタッチスクリーンに、その選択された言語で所定の料金の投入を促す旨の記載が表示された料金投入画面が表示されるようにしてもよい。この場合には、操作者は、千社札をどの印刷シール発行装置１０で印刷するのかを印刷するまで自由に選択できる。
【００５３】
アプリ内課金を行うと、携帯電話のタッチスクリーンには、筐体１と同様に、千社札選択画面が表示されるので（図３  Ｓ９参照）、表示された千社札から１つを選択する（図３  Ｓ１０参照）。
【００５４】
次に、挿絵千社札Ａを選択した場合をについて説明する。
携帯電話で挿絵千社札Ａを作成する方法は、挿絵選択画面表示から印刷見本画面表示（図４  ＳＡ１〜ＳＡ１５参照）までは、筐体１で作成する方法と同じである。
【００５５】
印刷見本画面表示で印刷内容を確認して印刷指示を行うと、携帯電話にバーコードやＱＲコード（登録商標）などの識別情報が送信され、選択された印刷シール発行装置１０に印刷する千社札のデータが送信される。
千社札のデータを受信した印刷シール発行装置１０は、千社札の印刷を開始して、操作者が取りに来るまで保管する。
操作者は、送信された識別情報を印刷シール発行装置１０の読取装置９で読み取らせることにより、千社札を受け取ることができる。これにより、各操縦者が印刷シール発行装置１０を使用する時間を短くすることができ、より多くの人が印刷シール発行装置１０を使用することができる。
なお、送信された識別情報を印刷シール発行装置１０の読取装置９で読み取らせることにより、挿絵千社札Ａの印刷が開始されるようにしてもよい。その場合には、千社札の印刷に要する時間の間、デジタルサイネージモニタ７に他の千社札の情報や設置されている観光地の情報等を表示してもよい。
【００５６】
以上、携帯電話で挿絵千社札Ａを作成する方法について、筐体１に設置されたタッチスクリーンを用いた作成方法とは異なる点を説明したが、「短冊千社札」（Ｂ）、「頭千社札」（Ｃ）及び「柄千社札」（Ｄ）の作成方法についても、タッチスクリーンを用いた作成方法とは、同様の点が異なる。具体的には、印刷見本画面表示（ＳＢ９、ＳＣ１５、ＳＤ１１）で表示された印刷見本で作成した印刷される千社札を確認したのち、その確認した千社札を印刷する印刷シール発行装置１０を選択する選択画面で、印刷する印刷シール発行装置１０を選択し、アプリ内課金を使用して千社札の支払いの決済を行う。
【００５７】
アプリ内課金を使用して、千社札の支払いの決済を行うと、携帯電話にバーコードやＱＲコード（登録商標）などの識別情報が送信されるので、操作者は、送信された識別情報を印刷シール発行装置１０のリーダで読み取らせることにより、操作者は、作成した千社札を入手することができる。
【００５８】
以上、本考案の好適な実施形態を説明したが、これ以外にも、本考案の主旨を逸脱しない限り、上記実施形態で挙げた構成を取捨選択したり、他の構成に適宜変更したりすることができる。
【００５９】
例えば、前記した実施例における挿絵千社札、短冊千社札、頭千社札および柄千社札の記入例は一例を示すものであり、図示した千社札に限定されるものではない。また、本考案のシール印刷販売機は前記した実施例における各種の千社札の印刷以外に名刺やその他のシールを印刷する場合にも応用できることは勿論のことである。
【００６０】
さらに、前記した実施例では図３の言語選択画面において日本語を選択してタッチパネルにおいて日本語文字を表示し、ナレーションを日本語でアナウンスし、かつ、文字入力画面を「ひらがな」文字で表示した場合について説明したが、他国言語を選択した場合には、タッチパネルには選択した国の文字で表示し、ナレーションも選択した言語でアナウンスし、かつ、文字入力画面を選択した国における標準的な文字で表示することで、多国語での操作が行えるものである。そして、それぞれの文字、言語や文字入力画面は予めＲＯＭ２ｃに記憶されている。
【符号の説明】
【００６１】
１０  印刷シール発行装置
１    筐体
２    コンピュータ
３    タッチパネル
４    コインセレクター
５    プリンタ
６    スピーカ
７    デジタルサイネージモニタ
【図１】
0003226179.tif 000003
【図２】
0003226179.tif 000004
【図３】
0003226179.tif 000005
【図４】
0003226179.tif 000006
【図５】
0003226179.tif 000007
【図６】
0003226179.tif 000008
【図７】
0003226179.tif 000009
【図８】
0003226179.tif 000010
【図９】
0003226179.tif 000011